(57)【特許請求の範囲】
【請求項１】
移動する移動体に扁平な金属顔料を含む扁平状トナーで第１像を形成する第１形成部と、
前記移動体に非扁平状トナーで第２像を形成する第２形成部と、
周回しながら前記移動体とニップを形成し、前記ニップに搬送される媒体に前記第１像及び前記第２像を転写する転写部と、
軸周りに回転する回転体を含み、前記転写部に付着したトナーを除去する除去部と、
前記第１形成部に前記第１像を形成させる場合、前記回転体の前記軸周りの回転を停止させる制御部と、
を備えた画像形成装置。
【請求項２】
移動する移動体に扁平な金属顔料を含む扁平状トナーで第１像を形成する第１形成部と、
前記移動体に非扁平状トナーで第２像を形成する第２形成部と、
周回しながら前記移動体とニップを形成し、前記ニップに搬送される媒体に前記第１像及び前記第２像を転写する転写部と、
軸周りに回転する回転体を含み、前記転写部に付着したトナーを除去する除去部と、
前記第１形成部に定められた条件を満たす前記第１像を形成させる場合、前記回転体の前記軸周りの回転を停止させる制御部と、
を備えた画像形成装置。
【請求項３】
前記制御部は、前記第１形成部に前記定められた条件を満たさない前記第１像を形成させる場合、前記回転体を前記軸周りに回転させる、
請求項２記載の画像形成装置。
【請求項４】
前記第１形成部及び前記第２形成部は、それぞれ前記ニップに搬送される前記媒体に転写されない非転写像を形成可能に構成されており、
前記制御部は、前記第１形成部に前記定められた条件を満たす前記第１像を形成させる場合、前記第１形成部及び前記第２形成部に前記非転写像を形成させない、
請求項２又は３記載の画像形成装置。
【請求項５】
前記回転体は、導電性で前記転写部に接触し、
前記回転体に前記転写部からトナーを転移させる電圧を印加する印加部を備え、
前記制御部は、前記第１形成部に前記定められた条件を満たす前記第１像を形成させる場合、前記印加部に前記電圧を印加させる、
請求項２〜４の何れか１項記載の画像形成装置。
【請求項６】
前記第１形成部及び前記第２形成部は、それぞれ前記ニップに搬送される前記媒体に転写されない非転写像を形成可能に構成されており、
前記制御部は、前記第１形成部に前記定められた条件を満たさない前記第１像を形成させる場合、前記第１形成部に前記非転写像を形成させ、前記回転体を前記軸周りに回転させ、前記印加部に前記電圧を印加させる、
請求項５記載の画像形成装置。
【請求項７】
前記除去部は、前記軸周りに回転する前記回転体に接触して前記回転体からトナーを取除く取除き部を含み、
前記制御部は、前記第１形成部に前記定められた条件を満たす前記第１像を形成させる場合、指令を受けて前記第１形成部に形成させた前記第１像の前記媒体への転写を前記転写部に終了させた後、前記回転体を前記軸周りに回転させる、
請求項５又は６記載の画像形成装置。
【請求項８】
前記定められた条件は、前記媒体における搬送方向と交差する方向の幅に対する前記第１像が転写される幅が定められた幅以上で、かつ、前記第１像の画像密度が定められた密度以上の条件とされる、
請求項２〜７の何れか１項記載の画像形成装置。
【発明の詳細な説明】
【技術分野】
【０００１】
本発明は、画像形成装置に関する。
【背景技術】
【０００２】
特許文献１には、複数の現像器で感光体上に多色画像を形成し、記録紙に一括転写して多色画像を得る画像記録装置が記載されている。この画像記録装置は、転写後の感光体上に残留するトナーのクリーニング手段として、クリーニングブレードと、クリーニングブレードの下流側に設けられ、電圧印加手段により電圧が印加される導電性のファーブラシローラと、を備えている。また、この画像形成装置は、感光体上に形成するトナー像のモードを識別する識別手段を設けている。そして、この画像記録装置は、モード識別手段の識別により２つのクリーニング手段を選択動作する。
【０００３】
特許文献２には、その図１に示されるように、像担持体と、クリーナと、通過トナー量検知部と、クリーナ制御部と、を備えた画像形成装置が記載されている。また、特許文献２には、クリーナは像担持体に形成されたトナー像を被転写体に転写した後、像担持体に残留するトナーの一部を除去して残りを通過トナーとして通過させることが記載されている。そして、この通過トナー量検知部は、クリーナを通過する通過トナー量を検知又は予測する。また、このクリーナ制御部は前記通過トナー量検知部により検知される通過トナー量に基づいて、該通過トナー量の目標値を設定し、前記クリーナによるクリーニング動作を制御する。
【先行技術文献】
【特許文献】
【０００４】
【特許文献１】特開平０２−２８７４８１号公報
【特許文献２】特開２００８−０１５５０６号公報
【発明の概要】
【発明が解決しようとする課題】
【０００５】
トナー像を保持して移動するベルトを導電性ロールと対向ロールとで挟んでニップを形成し、導電性ロール又は対向ロールに電圧を印加し、ニップで媒体にトナー像を転写させる画像形成装置が知られている。この画像形成装置は、導電性ロールに付着したトナーを除去する機構に回転体（例えば、導電性ロールに接触する回転ブラシ等）を含んで構成されている。この画像形成装置では、回転体のあらゆる方向における振動に伴い、導電性ロールに上記振動が伝わる場合がある。そして、この画像形成装置で扁平な金属顔料を含む扁平状トナーを用いたトナー像を転写すると、上記振動により、扁平状トナーが紙の厚み方向に対して傾斜する角度が周期的に変化した状態で媒体に転写される場合がある。その結果、転写された扁平状トナーが媒体に定着されると、扁平な金属顔料の姿勢の周期的なばらつきが生じる。
【０００６】
本発明は、扁平な金属顔料を含む扁平状トナーによる第１像が形成される場合、転写部に付着したトナーを除去する除去部の回転体を回転させる画像形成装置に比べて、扁平な金属顔料の姿勢の周期的なばらつきの差が少ない画像を形成する画像形成装置の提供を目的とする。
【０００７】
本発明は、扁平な金属顔料を含む扁平状トナーによる第１像が形成される場合、転写部に付着したトナーを除去する除去部の回転体を回転させる画像形成装置に比べて、扁平な金属顔料の配向斑が視認され難い画像を形成する画像形成装置の提供を目的とする。
【課題を解決するための手段】
【０００８】
請求項１の画像形成装置は、移動する移動体に扁平な金属顔料を含む扁平状トナーで第１像を形成する第１形成部と、前記移動体に非扁平状トナーで第２像を形成する第２形成部と、周回しながら前記移動体とニップを形成し、前記ニップに搬送される媒体に前記第１像及び前記第２像を転写する転写部と、軸周りに回転する回転体を含み、前記転写部に付着したトナーを除去する除去部と、前記第１形成部に前記第１像を形成させる場合、前記回転体の前記軸周りの回転を停止させる制御部と、を備えている。
【０００９】
請求項２の画像形成装置は、移動する移動体に扁平な金属顔料を含む扁平状トナーで第１像を形成する第１形成部と、前記移動体に非扁平状トナーで第２像を形成する第２形成部と、周回しながら前記移動体とニップを形成し、前記ニップに搬送される媒体に前記第１像及び前記第２像を転写する転写部と、軸周りに回転する回転体を含み、前記転写部に付着したトナーを除去する除去部と、前記第１形成部に定められた条件を満たす前記第１像を形成させる場合、前記回転体の前記軸周りの回転を停止させる制御部と、を備えている。
【００１０】
請求項３の画像形成装置は、請求項２記載の画像形成装置であって、前記制御部は、前記第１形成部に前記定められた条件を満たさない前記第１像を形成させる場合、前記回転体を前記軸周りに回転させる。
【００１１】
請求項４の画像形成装置は、請求項２又は３記載の画像形成装置であって、前記第１形成部及び前記第２形成部は、それぞれ前記ニップに搬送される前記媒体に転写されない非転写像を形成可能に構成されており、前記制御部は、前記第１形成部に前記定められた条件を満たす前記第１像を形成させる場合、前記第１形成部及び前記第２形成部に前記非転写像を形成させない。
【００１２】
請求項５の画像形成装置は、請求項２〜４の何れか１項記載の画像形成装置であって、前記回転体は、導電性で前記転写部に接触し、前記回転体に前記転写部からトナーを転移させる電圧を印加する印加部を備え、前記制御部は、前記第１形成部に前記定められた条件を満たす前記第１像を形成させる場合、前記印加部に前記電圧を印加させる。
【００１３】
請求項６の画像形成装置は、請求項５記載の画像形成装置であって、前記第１形成部及び前記第２形成部は、それぞれ前記ニップに搬送される前記媒体に転写されない非転写像を形成可能に構成されており、前記制御部は、前記第１形成部に前記定められた条件を満たさない前記第１像を形成させる場合、前記第１形成部に前記非転写像を形成させ、前記回転体を前記軸周りに回転させ、前記印加部に前記電圧を印加させる。
【００１４】
請求項７の画像形成装置は、請求項５又は６記載の画像形成装置であって、前記除去部は、前記軸周りに回転する前記回転体に接触して前記回転体からトナーを取除く取除き部を含み、前記制御部は、前記第１形成部に前記定められた条件を満たす前記第１像を形成させる場合、指令を受けて前記第１形成部に形成させた前記第１像の前記媒体への転写を前記転写部に終了させた後、前記回転体を前記軸周りに回転させる。
【００１５】
請求項８の画像形成装置は、請求項２〜７の何れか１項記載の画像形成装置であって、前記定められた条件は、前記媒体における搬送方向と交差する方向の幅に対する前記第１像が転写される幅が定められた幅以上で、かつ、前記第１像の画像密度が定められた密度以上の条件とされる。
【発明の効果】
【００１６】
請求項１の画像形成装置は、扁平な金属顔料を含む扁平状トナーによる第１像を形成させる場合、転写部に付着したトナーを除去する除去部の回転体を回転させる画像形成装置に比べて、扁平な金属顔料の姿勢の周期的なばらつきの差が少ない画像を形成することができる。
【００１７】
請求項２の画像形成装置は、定められた条件を満たす第１像を形成させる場合、転写部に付着したトナーを除去する除去部の回転体を回転させる画像形成装置に比べて、扁平な金属顔料の姿勢の周期的なばらつきの差が少ない画像を形成することができる。
【００１８】
請求項３の画像形成装置は、定められた条件を満たさない第１像を形成させる場合、転写部に付着したトナーの除去動作を行うことができる。
【００１９】
請求項４の画像形成装置は、定められた条件を満たす第１像を形成させる場合、第１形成部及び第２形成部に非転写像を形成させる画像形成装置に比べて、転写部に付着するトナーの量を少なくすることができる。
【００２０】
請求項５の画像形成装置は、定められた条件を満たす第１像を形成させる場合、転写部に接触する導電性の回転体に電圧を印加しない画像形成装置に比べて、回転体に転移されるトナーの量を多くすることができる。
【００２１】
請求項６の画像形成装置は、定められた条件を満たさない第１像を形成させる場合、転写部に付着したトナーの除去動作を行うことができる。
【００２２】
請求項７の画像形成装置は、転写部に第１像及び第２像を転写させた後、回転体に転移されたトナーを回転体から取除くことができる。
【００２３】
請求項８の画像形成装置は、媒体における搬送方向と交差する方向の幅に対する第１像が転写される幅が定められた幅以上で、かつ、第１像の画像密度が定められた密度以上の条件を満たす第１像を形成させる場合、転写部に付着したトナーを除去する除去部の回転体を回転させる画像形成装置に比べて、扁平な金属顔料の姿勢の周期的なばらつきの差が少ない画像を形成することができる。
【図面の簡単な説明】
【００２４】
【図１】第１実施形態の画像形成装置の概略図(正面図)である。
【図２】第１実施形態の画像形成装置を構成するトナー像形成部の概略図(正面図)である。
【図３】第１実施形態の画像形成装置を構成する転写装置の２次転写ユニットの周辺の概略図である。
【図４】第１実施形態の画像形成装置で用いられる扁平状トナーのトナー粒子の概略図（断面図）である。
【図５】第１実施形態の画像形成装置で用いられる非扁平状トナーのトナー粒子の概略図（断面図）である。
【図６】第１実施形態の画像形成装置において、トナー像及び非転写像が転写ベルトに保持されている状態を示す概略図である。
【図７】第１実施形態の画像形成装置の転写ベルトに保持されている扁平状トナーの状態を示す図であって、（Ａ）は図１の点線７Ａ内のトナー像を構成する扁平状トナー、（Ｂ）は点線７Ｂ内のトナー像を構成する扁平状トナーを示す模式図である。
【図８】第１実施形態の画像形成装置を構成する制御部が、転写動作時に２次転写ユニットを制御する際のフローチャートである。
【図９】第１実施形態の画像形成装置において、制御部が、図８のフローチャートにおける定められた条件を表す概略図である。
【図１０】図９の定められた条件の根拠となる試験結果を示すグラフである。
【図１１】（Ａ）は比較形態の画像形成装置により形成された媒体上の画像を示す模式図であり、（Ｂ）は（Ａ）のＢ−Ｂ断面線で切った部分断面図であり、（Ｃ）は（Ａ）のＣ−Ｃ断面線で切った部分断面図である。
【図１２】第２実施形態の画像形成装置を構成する制御部が、転写動作時に２次転写ユニットを制御する際のフローチャートである。
【図１３】第３実施形態の画像形成装置を構成する転写装置の２次転写ユニットの周辺の概略図である。
【図１４】第３実施形態の画像形成装置を構成する制御部が、転写動作時に２次転写ユニットを制御する際のフローチャートである。
【図１５】第４実施形態の画像形成装置を構成する転写装置の２次転写ユニットの周辺の概略図である。
【図１６】第４実施形態の画像形成装置を構成する制御部が、転写動作時に２次転写ユニットを制御する際のフローチャートである。
【図１７】その他の実施形態の画像形成装置を構成する制御部が、転写動作時に２次転写ユニットを制御する際のフローチャートである。
【発明を実施するための形態】
【００２５】
≪概要≫
以下、発明を実施するための形態（以下、実施形態という。）について説明する。なお、実施形態の説明では、以下の第１〜第４実施形態に分けて行う。また、以下の説明では、図面に矢印Ｘ及び矢印−Ｘで示す方向を装置幅方向、図面に矢印Ｙ及び矢印−Ｙで示す方向を装置高さ方向とする。また、装置幅方向及び装置高さ方向のそれぞれに直交する方向（矢印Ｚ及び矢印−Ｚ方向）を装置奥行き方向とする。
【００２６】
≪第１実施形態≫
以下、本実施形態について図面を参照しつつ説明する。まず、本実施形態の画像形成装置１０（図１参照）の構成について説明する。次いで、本実施形態の画像形成装置１０の画像形成動作について説明する。次いで、本実施形態の作用について説明する。
【００２７】
＜画像形成装置の構成＞
まず、画像形成装置１０の全体の構成について説明し、次いで、要部（転写装置３０、転写装置３０を構成する２次転写ユニット３６（図３参照）及び画像形成装置１０で用いられるトナー（図４及び図５参照））について説明する。
【００２８】
［画像形成装置の全体の構成］
画像形成装置１０は、図１に示されるように、トナー像形成部２０と、転写装置３０と、搬送装置４０と、定着装置５０と、制御部６０と、電源ＰＳと、を含んで構成される電子写真方式の装置とされている。なお、本実施形態の画像形成装置１０では、画像形成が可能な媒体Ｐの一例が枚葉紙とされている。
【００２９】
〔トナー像形成部〕
トナー像形成部２０は、帯電、露光、現像の各工程を行って、転写装置３０を構成する後述する転写ベルトＴＢが保持するトナー像Ｇ１（図１及び図６参照）及び非転写像Ｇ２（図６参照）を形成する機能を有する。なお、本実施形態において、トナー像Ｇ１とは、媒体Ｐ上に２次転写されるトナー像を意味する。これに対して、非転写像Ｇ２とは、２次転写されるトナー像ではなく、後述する現像装置２８Ｇ、２８Ｙ、２８Ｍ、２８Ｃ、２８Ｋに収容されている各トナーＭＴ、ＮＴの帯電状態等を維持するため（一例として、トナーＭＴ、ＮＴが過剰に帯電されることを抑制するため）に形成されるトナー像を意味する。本実施形態の画像形成装置１０は、一例として、非転写像Ｇ２が転写ベルトＴＢにおける後述するニップＮ２において転写ベルトＴＢに媒体Ｐが接触しない部位に１次転写されて、後述するブレード３８で除去されるように構成されている（図６参照）。以下の説明において、特にトナーＭＴとトナーＮＴとを区別する必要のない場合、トナーＭＴ、ＮＴをトナーＴと記載する。
【００３０】
トナー像形成部２０は、それぞれ異なる色（Ｇ（金）、Ｙ（イエロー）、Ｍ（マゼンタ）、Ｃ（シアン）、Ｋ（ブラック））のトナー像Ｇ１を形成する単色ユニット２１Ｇ、２１Ｙ、２１Ｍ、２１Ｃ、２１Ｋで構成されている。単色ユニット２１Ｇ、２１Ｙ、２１Ｍ、２１Ｃ、２１Ｋは、それぞれが形成するトナー像Ｇ１の色以外は同様の構成とされている。以下、本明細書及び図面において、単色ユニット２１Ｇ、２１Ｙ、２１Ｍ、２１Ｃ、２１Ｋ及びその構成要素を区別する必要がない場合、単色ユニット２１Ｇ、２１Ｙ、２１Ｍ、２１Ｃ、２１Ｋのアルファベット（Ｇ、Ｙ、Ｍ、Ｃ、Ｋ）を省略して説明する。そして、単色ユニット２１Ｇは、後述する転写ベルトＴＢに後述する扁平状トナーＭＴ（以下、トナーＭＴという。図４参照）でトナー像Ｇ１と非転写像Ｇ２とを形成するようになっている。また、単色ユニット２１Ｇ以外の単色ユニット２１は、転写ベルトＴＢに後述する非扁平状トナーＮＴ（以下、トナーＮＴという。図５参照）でトナー像Ｇ１と非転写像Ｇ２とを形成するようになっている。なお、本実施形態のトナーＭＴ及びトナーＮＴは、一例として負極性（帯電量分布の平均が負）とされている。ここで、単色ユニット２１Ｇは第１形成部の一例、単色ユニット２１Ｇ以外の単色ユニット２１は第２形成部の一例である。また、単色ユニット２１Ｇが形成するトナー像Ｇ１は第１像の一例、単色ユニット２１Ｇ以外の単色ユニット２１が形成するトナー像Ｇ１は第２像の一例である。
【００３１】
各単色ユニット２１は、図１及び図２に示されるように、感光体２２と、帯電装置２４と、露光装置２６と、現像装置２８と、１次転写ロール２９と、を含んで構成されている。そして、感光体２２は、円筒で、その自軸（自己の軸のことをいう。）が装置奥行き方向に沿った状態で配置されている。１次転写ロール２９は、転写ベルトＴＢを挟んで感光体２２とニップＮ１を形成している。そして、帯電装置２４は感光体２２を帯電し、露光装置２６は軸周りに回転する感光体２２を露光し、現像装置２８はトナー像Ｇ１及び非転写像Ｇ２を現像することで、各単色ユニット２１は、各感光体２２に各トナー像Ｇ１及び各非転写像Ｇ２を形成するようになっている。また、各１次転写ロール２９は、電源ＰＳから１次転写電圧（正極性の電圧）が印加されて、ニップＮ１で移動（周回）する転写ベルトＴＢに各感光体２２に形成された各トナー像Ｇ１及び各非転写像Ｇ２を１次転写するようになっている。なお、露光装置２６は、一例として、感光体２２に１２００ｄｐｉ×１２００ｄｐｉ（約２１μｍ×約２１μｍ）相当の最小露光ドットの潜像を形成するように構成されている。また、図１では、単色ユニット２１Ｋ以外の単色ユニット２１の構成要素の符号が省略されている。
【００３２】
〔転写装置〕
転写装置３０は、各単位ユニット２１で形成されニップＮ１で１次転写された各色のトナー像Ｇ１及び非転写像Ｇ２を、後述するニップＮ２に搬送される媒体Ｐ上に２次転写する機能を有する。転写装置３０の構成については後述する。
【００３３】
〔搬送装置〕
搬送装置４０は、媒体Ｐを搬送する機能を有する。なお、搬送装置４０は、画像形成動作の際に複数の媒体Ｐに画像形成が行われる場合、連続して搬送される媒体Ｐ同士に定められた間隔を空けた状態で、複数の媒体Ｐを搬送するようになっている。
【００３４】
〔定着装置〕
定着装置５０は、転写装置３０により媒体Ｐ上に２次転写された各色のトナー像Ｇ１を構成するトナーＴをニップＮ３で加熱、加圧して、媒体ＰにトナーＴを定着させる機能を有する。定着装置５０は、加熱部５０Ａと、加圧部５０Ｂと、を含んで構成されている。
【００３５】
〔制御部〕
制御部６０は、画像形成装置１０を構成する制御部６０以外の各部を制御する機能を有する。
【００３６】
制御部６０は、外部装置（図示省略）からの画像データを受け取るように構成されている。画像データを受け取った制御部６０は、例えば、図８のフローチャートに従い、画像形成装置１０を構成する制御部６０以外の各部を制御するようになっている。図８のフローチャートに示される制御を行う制御部６０については画像形成装置１０の画像形成動作の説明の中で詳しく説明するが、ここでは、図８のフローチャートの判断ステップＳ２１０における定められた条件について説明する。なお、制御部６０が外部装置から画像データを受け取る際、制御部６０は、外部装置から他のデータ（一例として、画像形成を行う媒体Ｐの枚数のデータ等）を受け取るようになっている。そして、制御部６０は、ジョブデータ（画像データ及び前述の媒体Ｐの枚数のデータを含むデータのことをいう。また、指令のことをいう。）に従い、画像形成装置１０に画像形成動作を実行させるようになっている。
【００３７】
制御部６０は、金色のトナーＭＴのトナー像Ｇ１が定められた条件を満たすと判断した場合（肯定判断をした場合）、画像形成装置１０による画像形成動作を特別モードで実行させるようになっている。これに対して、制御部６０は、判断ステップＳ２１０において条件を満たしていないと判断した場合（否定判断をした場合）、画像形成装置１０による画像形成動作を通常モードで実行させるようになっている。なお、前述の特別モード及び通常モードの具体的な内容については、後述する。
【００３８】
〈定められた条件〉
ここで、定められた条件とは、一例として、図９に示されるように、媒体Ｐの幅に対するトナーＭＴの形成幅（トナーＭＴが形成される最大幅）の比と、トナーＭＴの画像密度［％］とをパラメータとする。本実施形態では、ジョブデータに基づいて実際に画像形成が行われる媒体Ｐの幅に対するトナーＭＴの形成幅の比が２／３以上（１以下）であって、トナーＭＴの画像密度が９５％以上（１００％以下）の場合（図９における領域Ａ１に含まれる場合）、定められた条件を満たすこととしている。ここで、トナーＭＴの画像密度とは、露光装置２６Ｇが感光体２２Ｇ上に形成する最小露光ドットを１画素とした場合、トナーＭＴの形成幅に含まれる画素に対して露光装置２６Ｇにより露光される感光体２２Ｇの軸方向の画素（トナーＭＴのトナー像Ｇ１が現像装置２８により現像される感光体２２Ｇの軸方向の画素）の百分率のことをいう。例えば、トナーＭＴの画像密度が１００％の場合、トナーＭＴはトナーＭＴの形成幅に含まれる画素のすべての画素に現像されて転写されるようになっている。また、トナーＭＴの画像密度が５０％の場合、トナーＭＴはトナーＭＴの形成幅に含まれる画素の半分の画素に現像されて転写されるようになっている。なお、本実施形態において、図９における領域Ａ１に含まれる場合、定められた条件を満たすこととした根拠については後述する。
【００３９】
以上が、本実施形態の画像形成装置１０の全体の構成についての説明である。
【００４０】
［画像形成装置の要部の構成］
次に、画像形成装置１０の要部である転写装置３０、転写装置３０を構成する２次転写ユニット３６及び画像形成装置１０で用いられるトナーＭＴ、ＮＴについて図面を参照しつつ説明する。
【００４１】
〔転写装置〕
転写装置３０は、図１に示されるように、転写ベルトＴＢと、駆動ロール３２と、テンションロール３４と、２次転写ユニット３６と、ブレード３８と、を含んで構成されている。
【００４２】
〈転写ベルト、駆動ロール及びテンションロール〉
転写ベルトＴＢは、無端状とされている。また、駆動ロール３２は、駆動源（図示省略）により駆動されて、軸周りに回転しながら、転写ベルトＴＢを矢印Ｒ方向に移動させるようになっている。テンションロール３４は、転写ベルトＴＢを内周側から押圧して、転写ベルトＴＢに張力を付与している。以上の構成により、転写ベルトＴＢは、矢印Ｒ方向に移動しながら、各単色ユニット２１で形成された各色のトナー像Ｇ１及び非転写像Ｇ２がニップＮ１で１次転写されるようになっている。そして、転写ベルトＴＢは、各色のトナー像Ｇ１及び非転写像Ｇ２を外周に保持しながら、各色のトナー像Ｇ１及び非転写像Ｇ２をニップＮ２へ到達させるようになっている。ここで、転写ベルトＴＢは、移動体の一例である。
【００４３】
〈２次転写ユニット〉
２次転写ユニット３６は、転写ベルトＴＢに保持されている各色のトナー像Ｇ１を、搬送装置４０により搬送される媒体Ｐに２次転写する機能を有する。２次転写ユニット３６は、図１及び図３に示されるように、２次転写部７０と、バックアップロール８０（以下、ＢＵＲ８０とする。）と、除去部９０と、を含んで構成されている。
【００４４】
（２次転写部及びＢＵＲ）
２次転写部７０は、導電性ロール７２と、テンションロール７４と、導電性ベルトＣＢと、を備えている。ここで、導電性ベルトＣＢは、転写部の一例である。
【００４５】
導電性ベルトＣＢは、周回しながら転写ベルトＴＢとニップＮ２を形成し、搬送装置４０により搬送される媒体Ｐにトナー像Ｇ１を転写させる機能を有する。導電性ロール７２は、シャフト７２Ａと、円筒状の導電層７２Ｂと、を有している。そして、導電性ロール７２は、駆動源（図示省略）に駆動されて、軸周りに回転するようになっている。導電性ベルトＣＢは、無端状とされており、円筒状の導電層７２Ｂに巻きかかっている。また、テンションロール７４は、導電性ベルトＣＢを内周側から押圧して、導電性ベルト７４に張力を付与している。以上の構成により、２次転写部７０では、導電性ロール７２が軸周りに回転すると、導電性ベルトＣＢが周回するようになっている。なお、導電性ロール７２のシャフト７２Ａは、接地されている。
【００４６】
ＢＵＲ８０は、図１及び図３に示されるように、転写ベルトＴＢを挟んで、２次転写部７０の反対側（上側）に配置されている。また、ＢＵＲ８０は、導電性ロール７２に対してオフセットした位置で導電性ベルトＣＢと転写ベルトＴＢとにニップＮ２を形成させている。
【００４７】
ＢＵＲ８０は、シャフト８０Ａと、円筒状の導電層８０Ｂと、を有している。そして、ＢＵＲ８０のシャフト８０Ａには、電源ＰＳ（図１参照）から電圧が印加されるようになっている。具体的には、ＢＵＲ８０は、媒体ＰがニップＮ２を通過する際、電源ＰＳから２次転写電圧（負極性の電圧）が印加されるようになっている。その結果、導電性ベルトＣＢは、転写ベルトＴＢとともに、トナー像Ｇ１を媒体Ｐに２次転写させる電界をニップＮ２に形成するようになっている。また、ＢＵＲ８０は、媒体ＰがニップＮ２を通過する前後に、電源ＰＳから正極性の電圧が印加されるようになっている。その結果、導電性ベルトＣＢは、転写ベルトＴＢとともに、非転写像Ｇ２を転写ベルトＴＢに保持させる電界をニップＮ２に形成するようになっている。
【００４８】
以上の構成により、導電性ベルトＣＢは、周回しながら転写ベルトＴＢとニップＮ２を形成し、媒体ＰがニップＮ２を通過する期間搬送される媒体Ｐにトナー像Ｇ１を転写させるようになっている。また、導電性ベルトＣＢは、周回しながら転写ベルトＴＢとニップＮ２を形成し、媒体ＰがニップＮ２を通過する前後に、転写ベルトＴＢに非転写像Ｇ２を保持させたままニップＮ２を通過させるようになっている。
【００４９】
（除去部）
除去部９０は、導電性ベルトＣＢに付着したトナーＴを除去する機能を有する。除去部９０は、図３に示されるように、第１除去部９２と、第２除去部９４と、ハウジング９６と、を備えている。なお、第１除去部９２及び第２除去部９４は、ハウジング９６内に配置されている。
【００５０】
第１除去部９２は、負極性に帯電しているトナーＴを除去する機能を有する。第１除去部９２は、導電性ブラシ９２Ａと、金属製シャフト９２Ｂと、を有している。ここで、導電性ブラシ９２Ａ及び金属製シャフト９２Ｂは、回転体の一例である。また、金属製シャフト９２Ｂは、取除き部の一例である。導電性ブラシ９２Ａは、導電性ベルトＣＢにおける導電性ロール７２に巻きかかった部分に接触している（食い込んでいる）。また、導電性ブラシ９２Ａは、導電性ベルトＣＢが食い込んだ部分と異なる部分で、金属製シャフト９２Ｂに接触している。導電性ブラシ９２Ａと金属製シャフト９２Ｂとは、導電性ロール７２に軸方向を揃えた状態で配置されている。
【００５１】
第２除去部９４は、正極性に帯電しているトナーＴを除去する機能を有する。第２除去部９４は、第１除去部９２よりも導電性ベルトＣＢの周回方向下流側の部位であってニップＮ２よりも上流側の部位に配置されている。第２除去部９４は、導電性ブラシ９４Ａと、金属製シャフト９４Ｂと、を有している。ここで、導電性ブラシ９４Ａ及び金属製シャフト９４Ｂは、他の回転体の一例である。また、金属製シャフト９４Ｂは、取除き部の一例である。導電性ブラシ９４Ａは、導電性ベルトＣＢにおける導電性ロール７２に巻きかかった部分であって、導電性ブラシ９２Ａが食い込んでいる部分と異なる部分に接触している。また、導電性ブラシ９４Ａには、導電性ベルトＣＢが食い込んだ部分と異なる部分に、金属製シャフト９４Ｂが接触している。導電性ブラシ９４Ａと金属製シャフト９４Ｂとは、導電性ロール７２に軸方向を揃えた状態で配置されている。
【００５２】
そして、金属製シャフト９４Ｂが駆動源（図示省略）により駆動されると、金属製シャフト９４Ｂは装置奥行き方向手前側から見て、反時計回りに回転するようになっている。また、導電性ブラシ９２Ａ、９４Ａ及び金属製シャフト９２Ｂは、金属製シャフト９４Ｂに設けられたギア（図示省略）に噛み合わされたギア（図示省略）を介して、トルクが伝達されるようになっている。その結果、金属製シャフト９２Ｂは反時計回りに回転し、導電性ブラシ９２Ａ、９４Ａは、時計回りに回転するようになっている。以上のとおり、本実施形態では、導電性ブラシ９２Ａ、９４Ａ及び金属製シャフト９２Ｂが金属製シャフト９４Ｂの回転に伴い回転し、金属製シャフト９４Ｂの停止に伴い停止するように構成されている。
【００５３】
電源ＰＳにより金属製シャフト９２Ｂに正極性の電圧が印加されると、導電性ブラシ９２Ａは、正極性に帯電されて軸周りに回転するようになっている。そして、導電性ブラシ９２Ａが導電性ベルトＣＢから負極性のトナーＴを転移させた後、金属製シャフト９２Ｂが当該トナーＴを導電性ブラシ９２Ａから取除くようになっている。つまり、導電性ブラシ９２Ａには、導電性ベルトＣＢから負極性のトナーＴを転移させる電圧が印加されるように構成されている。また、電源ＰＳにより金属製シャフト９４Ｂに負極性の電圧が印加されると、導電性ブラシ９４Ａは、負極性に帯電されて軸周りに回転するようになっている。そして、導電性ブラシ９４Ａが導電性ベルトＣＢから正極性のトナーＴを転移させた後、金属製シャフト９４Ｂが当該トナーＴを導電性ブラシ９４Ａから取除くようになっている。つまり、導電性ブラシ９４Ａには、導電性ベルトＣＢから正極性のトナーＴを転移させる電圧が印加されるように構成されている。なお、金属製シャフト９２Ｂ、９４Ｂで取除かれたトナーＴは、ブレード（図示省略）により金属製シャフト９２Ｂ、９４Ｂから掻き落とされて、ハウジング９６に収容されるようになっている。
【００５４】
〈ブレード〉
ブレード３８は、ニップＮ２に搬送される媒体Ｐに２次転写されずに転写ベルトＴＢ上に残ったトナーＴ及び転写ベルトＴＢ上に保持された非転写像Ｇ２を構成するトナーＴを、転写ベルトＴＢから除去する機能を有する。ブレード３８は、図１に示されるように、ニップＮ２よりも転写ベルトＴＢの移動方向（矢印Ｒ方向）下流側であって、トナー像形成部２０（単色ユニット２１Ｇ）よりも上流側で、転写ベルトＴＢに接触している。
【００５５】
〔トナー〕
〈扁平状トナー（トナーＭＴ）〉
トナーＭＴを構成するトナー粒子ＭＴＰは、一例として、図４に示されるように、金属顔料ＭＰと、バインダーＢＤと、を含んで構成されている。バインダーＢＤは、金属顔料ＭＰを覆っている。金属顔料ＭＰは、扁平とされている。具体的には、金属顔料ＭＰの長軸長さＬ１がは一例として５μｍ以上１２μｍ以下、その厚みＴ１が一例として０．０１μｍ以上０．５μｍ以下とされている。ここで、長軸長さＬ１とは、金属顔料ＭＰの厚み方向と直交する方向から金属顔料ＭＰを見た場合、金属顔料ＭＰの最も長い部分の長さをいう。そして、本実施形態のトナー粒子ＭＴＰは、その長軸長さＬ２が一例として７μｍ以上２０μｍ以下、その厚みＴ２が一例として１μｍ以上３μｍ以下とされている。ここで、長軸長さＬ２とは、トナー粒子ＭＴＰの厚み方向と直交する方向からトナー粒子ＭＴＰを見た場合、トナー粒子ＭＴＰの最も長い部分の長さをいう。以上のとおり、本実施形態のトナー粒子ＭＴＰは、含有されている金属顔料ＭＰの長軸長さＬ１／厚みＴ１が一例として１０以上１２００以下であって、トナー粒子ＭＴＰの長軸長さＬ１／厚みＴ２が一例として２．３以上２０以下の関係を有するトナー粒子をいう（そして、本実施形態のトナーＭＴは、上記の関係を有するトナー粒子ＭＴＰの集合体をいう）。なお、前述のとおり、本実施形態のトナーＭＴは金色であるが、トナー粒子ＭＴＰを構成する金属顔料ＭＰはアルミとされ、バインダーＢＤにイエロー（Ｙ）の顔料を分散させることで、金色とされている。
【００５６】
〈非扁平状トナー（トナーＮＴ）〉
トナーＮＴを構成するトナー粒子ＮＴＰは、一例として、図５に示されるように、樹脂顔料ＲＰと、バインダーＢＤと、を含んで構成されている。また、トナー粒子ＮＴＰは、非扁平とされている。具体的には、本実施形態のトナー粒子ＮＴＰは、含有されている樹脂顔料ＲＰの長軸長さ／厚みが一例として１０未満であって、トナー粒子ＮＴＰの長軸長さ／厚みが一例として２．３未満の関係を有するトナー粒子をいう。また、本実施形態のトナー粒子ＮＴＰを平面に投影した場合の円形度は、一例として、０．９０以上とされている。以上より、本実施形態のトナー粒子ＮＴＰ（トナーＮＴ）は、非扁平のトナー粒子（トナー）とされている。
【００５７】
以上が、本実施形態の画像形成装置１０の要部の構成及び画像形成装置１０で用いられるトナーＭＴ、ＮＴについての説明である。
【００５８】
〔補足〕
以下、本実施形態の画像形成装置１０の構成について補足する。
【００５９】
〈補足１〉
トナーＭＴは、図７（Ａ）及び（Ｂ）に示されるように、転写ベルトＴＢとともにニップＮ１、Ｎ２以外の部位を移動している期間、転写ベルトＴＢの外周に対してほぼ直交する方向にその長軸（長手方向の軸）が沿った状態（立った状態）で、転写ベルトＴＢに保持されている。これは、トナーＭＴがその長軸方向に沿った方向に分極しているためと推認される。なお、転写ベルトＴＢに立った状態で付着しているトナーＭＴは、ニップＮ１では感光体２２と転写ベルトＴＢとに挟まれて、ニップＮ２では２次転写部７０の導電性ベルトＣＢと転写ベルトＴＢとに挟まれて姿勢が変わることが推認される。
【００６０】
〈補足２〉
前述のとおり、本実施形態の画像形成装置１０では、非転写像Ｇ２は、転写ベルトＴＢにおける部位であって、ニップＮ２において転写ベルトＴＢに媒体Ｐが接触しない部位（インターイメージ部）に１次転写されるようになっている。ここで、図６の破線ＰＡ内の部位は、ニップＮ２において転写ベルトＴＢに媒体Ｐが接触する部位を示している。そして、本実施形態では、転写ベルトＴＢにおける隣接する２つの点線ＰＡ内の部位に挟まれた部位が、転写ベルトＴＢにおける非転写像Ｇ２が１次転写される部位とされている。
【００６１】
〈補足３〉
本実施形態の画像形成装置１０では、前述のとおり、単色ユニット２１Ｇを用いてトナー像Ｇ１を形成すると、扁平な金属顔料ＭＰを色素とした画像が形成される。このように扁平な金属顔料ＭＰを含むトナー粒子ＭＴＰで構成されるトナーＭＴを用いて画像を形成すると、当該画像は、光を反射して光沢性を呈する。
【００６２】
＜画像形成装置の画像形成動作＞
次に、本実施形態の画像形成装置１０の画像形成動作について、図面を参照しつつ説明する。以下の説明では、まず、画像形成装置１０の基本的動作について説明し、次いで、外部装置（図示省略）から受け取った異なる画像データごとの動作について説明する。ここで、画像形成装置１０の基本的動作とは、画像データが異なる場合であっても、共通して行われる動作のことを意味する。
【００６３】
［基本的動作］
外部装置（図示省略）から画像データ（一例として、複数の媒体Ｐに画像を形成するためのデータとする。）を受け取った制御部６０は、トナー像形成部２０、転写装置３０及び定着装置５０を作動させる。
【００６４】
制御部６０は、帯電装置２４に感光体２２を帯電させ、露光装置２６に感光体２２を露光させ、現像装置２８にトナー像Ｇ１及び非転写像Ｇ２を現像させる。次いで、制御部６０が電源ＰＳから各１次転写ロール２９に１次転写電圧を印加させると、各１次転写ロール２９がトナー像Ｇ１及び非転写像Ｇ２を移動する転写ベルトＴＢに１次転写する。その結果、トナー像形成部２０は、図６に示されるように、転写ベルトＴＢに各トナー像Ｇ１及び各非転写像Ｇ２を形成する。
【００６５】
また、制御部６０は、２次転写ユニット３６を構成する導電性ロール７２、ＢＵＲ８０及び除去部９０の駆動源（図示省略）を駆動させ、導電性ベルトＣＢを周回させ、導電性ブラシ９２Ａ、９４Ａを軸周りに回転させ、加熱部５０Ａを加熱させる。
【００６６】
次いで、制御部６０は、転写ベルトＴＢに１次転写されて保持されている各トナー像Ｇ１が転写ベルトＴＢとともにニップＮ２に到達するタイミングに合わせて、搬送装置４０に、Ｎ２に向けて媒体Ｐを搬送させる。そして、制御部６０は、電源ＰＳからＢＵＲ８０のシャフト８０Ａに２次転写電圧が印加させて、転写ベルトＴＢに保持されているトナー像Ｇ１をニップＮ２を通過する媒体Ｐに２次転写させる。次いで、制御部６０は、当該媒体ＰがニップＮ２を通過した後、電源ＰＳからシャフト８０Ａに正極性の電圧を印加させ、導電性ベルトＣＢにニップＮ２を通過する転写ベルトＴＢ上の非転写像Ｇ２を転写ベルトＴＢに保持させる電界を形成させる。その結果、転写ベルトＴＢ上の非転写像Ｇ２は、転写ベルトＴＢとともに移動し、ブレード３８により転写ベルトＴＢ上から除去される。
【００６７】
次いで、制御部６０は、搬送装置４０に、ニップＮ３に向けて媒体Ｐを搬送させる。そして、制御部６０は、媒体Ｐに２次転写されたトナー像Ｇ１を、加熱部５０Ａに加熱、加圧部５０Ｂに加圧させる。その結果、媒体Ｐ上のトナー像Ｇ１は、媒体Ｐに定着され、搬送装置４０により画像形成装置１０の外に排出されて、画像形成装置１０の画像形成動作が終了する。
【００６８】
なお、導電性ベルトＣＢに付着したトナーＴ（いわゆるかぶり等のトナー）は、導電性ベルトＣＢとともに周回し、除去部９０を構成する導電性ブラシ９２Ａ、９４Ａにより導電性ベルトＣＢ上から除去される。
【００６９】
以上が、画像形成装置１０の基本的動作についての説明である。
【００７０】
［画像データごとの動作］
次に、外部装置（図示省略）から受け取った異なる画像データ（一例として、複数の媒体Ｐに画像を形成するためのデータとする。）ごとの動作について説明する。
【００７１】
〔トナーＭＴでトナー像Ｇ１を形成する画像データが含まれていない場合の動作〕
この場合、制御部６０は、図８に示されるとおり、判断ステップＳ２００で否定判断をして、画像形成装置１０による画像形成動作を通常モードで実行させる。具体的には、制御部６０は、当該画像データに含まれる色のトナー像Ｇ１を形成する単色ユニット２１にトナー像Ｇ１及び非転写像Ｇ２を形成させる（ステップＳ２５０）。また、制御部６０は、２次転写ユニット３６を構成する除去部９０の第１除去部９２及び第２除去部９４を駆動させ（導電性ブラシ９２Ａ、９４Ａを軸周りに回転させ）、電源ＰＳから金属製シャフト９２Ｂ、９４Ｂに電圧を印加させる（ステップＳ２６０）。そして、画像形成が要求された複数の媒体Ｐへの画像形成が行われて、画像形成動作が終了する。
【００７２】
〔トナーＭＴでトナー像Ｇ１を形成する画像データが含まれている場合の動作〕
この場合、制御部６０は、図８に示されるとおり、判断ステップＳ２００の条件で肯定判断をして、判断ステップＳ２１０の判断をする。
【００７３】
そして、制御部６０は、判断ステップＳ２１０で否定判断をした場合、画像形成装置１０による画像形成動作を通常モードで実行させる。そして、画像形成が要求された複数の媒体Ｐへの画像形成が行われて、画像形成動作が終了する。
【００７４】
これに対して、制御部６０は、判断ステップＳ２１０で肯定判断をした場合、画像形成装置１０による画像形成動作を特別モードで実行させる。具体的には、制御部６０は、当該画像データに含まれる色のトナー像Ｇ１を形成する単色ユニット２１にトナー像Ｇ１及び非転写像Ｇ２を形成させる（ステップＳ２２０）。また、制御部６０は、２次転写ユニット３６を構成する除去部９０の第１除去部９２及び第２除去部９４を駆動させず（導電性ブラシ９２Ａ、９４Ａを軸周りに回転させず）、電源ＰＳから金属製シャフト９２Ｂ、９４Ｂに電圧を印加させる（ステップＳ２３０）。そして、転写（２次転写）が要求された複数の媒体Ｐへのすべてのトナー像Ｇ１及び非転写像Ｇ２の転写動作が終了した後、制御部６０は、２次転写ユニット３６に、メインテナンス動作を行わせる。具体的には、制御部６０は、電源ＰＳから金属製シャフト９２Ｂ、９４Ｂに電圧を印加させ、第１除去部９２及び第２除去部９４を駆動させる（導電性ブラシ９２Ａ、９４Ａ及び金属製シャフト９２Ｂ、９４Ｂを軸周りに複数回回転させる）。また、制御部６０は、２次転写部７０の導電性ロール７２を軸周りに回転させ、転写装置３０の駆動ロール３２を軸周りに回転させる。そして、画像形成動作が終了する。
【００７５】
＜作用＞
次に、本実施形態の作用について説明する。
【００７６】
まず、本実施形態の作用（第１〜第４の作用）について図面を参照しつつ説明する。なお、以下の説明において、本実施形態の作用を比較形態の作用と比較して行う場合であって、比較形態に本実施形態で用いた部品等と同じ部品等を用いる場合、その部品等の符号をそのまま用いる。
【００７７】
［第１の作用］
本実施形態の第１の作用は、図８において、制御部６０が判断ステップＳ２００及び判断ステップＳ２１０で肯定判断をした場合、特別モードのステップＳ２３０で第１除去部９２及び第２除去部９４を駆動させないことの作用である。
【００７８】
第１の作用については、本実施形態の画像形成装置１０（転写装置３０）を以下に説明する比較形態の画像形成装置（転写装置）と比較して説明する。比較形態の画像形成装置（制御部）は、図８において、ステップＳ２３０で第１除去部９２及び第２除去部９４を駆動させるように構成されている。比較形態の画像形成装置は、上記の点以外は、本実施形態の画像形成装置１０（転写装置３０）と同様の構成とされている。
【００７９】
比較形態の画像形成装置の場合、制御部６０が判断ステップＳ２００及び判断ステップＳ２１０で肯定判断をした場合、転写ベルトＴＢ上のトナー像Ｇ１は、ニップＮ２において、第１除去部９２及び第２除去部９４が駆動（回転）された状態で、媒体Ｐに２次転写される。ここで、駆動源（図示省略）により金属製シャフト９４Ｂが軸周りに回転されると、２次転写部７０を構成する導電性ロール７２は、導電性ブラシ９２Ａ、９４Ａ及び金属製シャフト９２Ｂ、９４Ｂのギア（図示省略）の回転に伴い装置奥行き方向及び装置高さ方向に振動する。そして、導電性ロール７２の振動に伴い、導電性ベルトＣＢも、装置奥行き方向及び装置高さ方向に振動する。その結果、比較形態の場合、転写ベルトＴＢに立った状態で付着しているトナーＭＴ（トナー像Ｇ１を構成するトナーＭＴ）は、その通過するタイミングに応じて装置奥行き方向手前側又は奥側（媒体Ｐの幅方向一方側又は他方側）に交互に倒れて媒体Ｐに２次転写される。次いで、２次転写されたトナー像Ｇ１を構成するトナーＭＴが媒体Ｐに定着されると、図１１（Ａ）〜（Ｃ）に示されるように、導電性ロール７２の振動周期で交互に媒体Ｐの幅方向一方側又は他方側に傾いた扁平な金属顔料ＭＰの姿勢に周期的なばらつきを持った画像が形成される。そして、ＭＴのトナー像Ｇ１が定められた条件を満たしている場合（図９における領域Ａ１に含まれる場合）、定められた条件を満たしていない場合よりも扁平な金属顔料ＭＰの配向斑が視認され易い。
【００８０】
ここで、定められた条件について補足する。トナーＭＴのトナー像Ｇ１の形成される幅が広いほど、トナーＭＴの画像密度が高いほど、トナーＭＴは、ニップＮ２において転写ベルトＴＢと媒体Ｐとの間で滑り易いと推認される。そして、前述のとおり、導電性ベルトＣＢは、装置奥行き方向及び装置高さ方向に振動することから、トナーＭＴは、トナーＭＴのトナー像Ｇ１の形成される幅が広いほど、トナーＭＴの画像密度が高いほど、ニップＮ２で滑って装置奥行き方向（導電性ベルトＣＢの振動方向）に倒れ易くなると推認される。そして、本願の発明者は、トナーＭＴのトナー像Ｇ１が図１０における領域Ａ２内の場合、扁平な金属顔料ＭＰの配向斑が視認され易い画像が形成されることの知見を得た。そこで、本実施形態では、定められた条件を満たしている場合（図９における領域Ａ１）を、図１０における領域Ａ２を含むこととした。
【００８１】
これに対して、本実施形態の画像形成装置１０（転写装置３０）の場合、図８に示されるように、制御部６０が判断ステップＳ２００及び判断ステップＳ２１０で肯定判断をした場合、転写ベルトＴＢ上のトナー像Ｇ１は、ニップＮ２において、第１除去部９２及び第２除去部９４が駆動していない状態で、媒体Ｐに２次転写される。
【００８２】
したがって、本実施形態の画像形成装置１０（転写装置３０）によれば、第１除去部９２及び第２除去部９４を駆動（回転）させた状態で、トナーＭＴのトナー像Ｇ１を媒体Ｐに２次転写される画像形成装置（転写装置）に比べて、扁平な金属顔料ＭＰの姿勢の周期的なばらつきの差が少ない画像を形成することができる。
【００８３】
［第２の作用］
第２の作用については、本実施形態の画像形成装置１０（転写装置３０）を以下に説明する比較形態の画像形成装置（転写装置）と比較して説明する。比較形態の画像形成装置は、図８において、ステップＳ２１０がない（図１７参照）。別の見方をすると、比較形態の画像形成装置は、形成されるトナーＭＴのトナー像Ｇ１が定められた条件を満たすかについて判断しない。比較形態の画像形成装置は、上記の点以外は、本実施形態の画像形成装置１０（転写装置３０）と同様の構成とされている。なお、上記比較形態は、本発明の技術的範囲に属する。
【００８４】
比較形態の画像形成装置では、トナーＭＴのトナー像Ｇ１が形成される場合、制御部６０が判断ステップＳ２１０で肯定判断をした場合であっても、特別モードで画像形成動作が行われる（図１７参照）。そのため、比較形態の画像形成装置は、定められた条件を満たすトナーＭＴによるトナー像Ｇ１が形成される場合、導電性ベルトＣＢに付着したトナーＴを除去する除去部９０を駆動させる画像形成装置に比べて、扁平な金属顔料ＭＰの配向斑が視認され難い画像を形成することができる。ただし、比較形態の画像形成装置は、トナーＭＴが形成される場合であって定められた条件を満たさない場合（すなわち、図９における領域Ａ１以外の領域の場合）、除去部９０を用いて導電性ベルトＣＢに付着したトナーＴの除去動作を行うことができない。
【００８５】
これに対して、本実施形態の画像形成装置１０（転写装置３０）は、図８に示されるように、制御部６０が判断ステップＳ２１０で否定判断をした場合、通常モードで画像形成動作が行われる。  
【００８６】
したがって、本実施形態の画像形成装置１０（転写装置３０）は、制御部６０が定められた条件を満たさないトナーＭＴのトナー像Ｇ１を形成させる場合、導電性ベルトＣＢに付着したトナーＴの除去動作を行うことができる。
【００８７】
［第３の作用］
第３の作用については、本実施形態の画像形成装置１０（転写装置３０）を以下に説明する比較形態の画像形成装置（転写装置）と比較して説明する。比較形態の画像形成装置は、制御部６０が図８のステップＳ２３０で電源ＰＳから第１除去部９２及び第２除去部９４に電圧を印加させない。比較形態の画像形成装置（転写装置）は、上記の点以外は、本実施形態の画像形成装置１０（転写装置３０）と同様の構成とされている。
【００８８】
比較形態の画像形成装置では、導電性ベルトＣＢに付着したトナーＴの一部は、導電性ベルトＣＢとともに周回し、停止して導電性ベルトＣＢに接触している導電性ブラシ９２Ａ、９４Ａに接触する。しかし、導電性ブラシ９２Ａ、９４Ａに電圧が印加されていないため、電性ブラシ９２Ａ、９４Ａに接触した導電性ベルトＣＢ上のトナーＴは、導電性ベルトＣＢから導電性ブラシ９２Ａ、９４Ａに転移され難く、導電性ベルトＣＢとともに周回してニップＮ２に到達する虞がある。そして、ニップＮ２にトナーＴが到達すると、媒体Ｐの裏面（媒体Ｐに面におけるトナー像Ｇ１が２次転写される面と反対側の面のことをいう。）に付着し、媒体Ｐの裏面を汚す虞がある。
【００８９】
これに対して、本実施形態の画像形成装置１０（転写装置３０）では、図８に示されるように、制御部６０が判断ステップＳ２１０で肯定判断をした場合、ステップＳ２３０で制御部６０が電源ＰＳから第１除去部９２及び第２除去部９４に電圧を印加させる。そのため、電性ブラシ９２Ａ、９４Ａに接触した導電性ベルトＣＢ上のトナーＴは、導電性ベルトＣＢから導電性ブラシ９２Ａ、９４Ａに転移され易い。
【００９０】
したがって、本実施形態の画像形成装置１０（転写装置３０）は、制御部６０が定められた条件を満たすトナーＭＴのトナー像Ｇ１を形成させる場合、導電性ブラシ９２Ａ、９４Ａに電圧を印加しない画像形成装置に比べて、導電性ベルトＣＢから導電性ブラシ９２Ａ、９４Ａに転移されるトナーＴの量が多くなる。
【００９１】
［第４の作用］
第４の作用については、本実施形態の画像形成装置１０（転写装置３０）を以下に説明する比較形態の画像形成装置（転写装置）と比較して説明する。比較形態の画像形成装置は、図８において、特別モードにステップＳ２４０がない。すなわち、比較形態の画像形成装置の場合、特別モードでステップＳ２３０の後、２次転写ユニット３６のメインテナンス動作が行われない。比較形態の画像形成装置（転写装置）は、上記の点以外は、本実施形態の画像形成装置１０（転写装置３０）と同様の構成とされている。
【００９２】
比較形態の画像形成装置の場合、媒体Ｐへの転写動作が行われている期間、電性ブラシ９２Ａ、９４Ａに接触した導電性ベルトＣＢ上のトナーＴは、導電性ベルトＣＢから導電性ブラシ９２Ａ、９４Ａに転移される。そして、比較形態の画像形成装置の場合、制御部６０は、単色ユニット２１Ｇに形成させたトナー像Ｇ１のすべての媒体Ｐへの転写を２次転写ユニット３６に終了させた後（ジョブデータに基づく転写動作の終了後）、導電性ブラシ９２Ａ、９４ＡにはトナーＴが転移されたまま、画像形成動作が終了する。そのため、比較形態の画像形成装置の場合、次のジョブデータに基づく転写動作が行われると、導電性ブラシ９２Ａ、９４Ａに転移されたトナーＴが、導電性ベルトＣＢとともに周回してニップＮ２に到達する。そして、ニップＮ２にトナーＴが到達すると、媒体Ｐの裏面（媒体Ｐに面におけるトナー像Ｇ１が２次転写される面と反対側の面のことをいう。）に付着する。
【００９３】
これに対して、本実施形態の画像形成装置１０（転写装置３０）では、図８に示されるように、ステップＳ２３０の後、ステップＳ２４０で２次転写ユニット３６のメインテナンス動作が行われる。そのため、本実施形態の画像形成装置１０（転写装置３０）の場合、金属製シャフト９２Ｂ、９４Ｂにより導電性ブラシ９２Ａ、９４Ａに転移されたトナーＴが導電性ブラシ９２Ａ、９４Ａから取り除かれた後、画像形成動作が終了する。
【００９４】
したがって、本実施形態の画像形成装置１０（転写装置３０）は、ジョブデータに基づく転写動作の終了後であって画像形成動作の終了前に、導電性ブラシ９２Ａ、９４Ａに転移されたトナーＴを導電性ブラシ９２Ａ、９４Ａから取り除かれる。
【００９５】
≪第２実施形態≫
次に、第２実施形態について説明する。以下の説明において、本実施形態において、第１実施形態で用いた部品等と同じ部品等を用いる場合、その部品等の符号をそのまま用いる。
【００９６】
＜構成＞
本実施形態の画像形成装置１０Ａ（転写装置３０Ａ）は、図１２に示されるとおり、第１実施形態の画像形成装置１０の場合（図８参照）に対して、特別モードにおけるステップＳ２２０で非転写像Ｇ２を形成しない点で異なる。本実施形態の画像形成装置１０Ａは、第１実施形態の画像形成装置１０との関係において、上記の点以外は同様の構成とされている。
【００９７】
＜作用＞
本実施形態の画像形成装置１０Ａの場合、制御部６０が特別モードで画像形成動作を行わせる場合、単色ユニット２１に非転写像Ｇ２を形成させない。そのため、導電性ベルトＣＢに付着するトナーＴの量を少なくなる。本実施形態のその他の作用は、第１実施形態の作用（第１〜第４の作用）と同様である。
【００９８】
≪第３実施形態≫
次に、第３実施形態について説明する。以下の説明において、本実施形態において、第１実施形態で用いた部品等と同じ部品等を用いる場合、その部品等の符号をそのまま用いる。
【００９９】
＜構成＞
本実施形態の画像形成装置１０Ｂは、図１３に示されるとおり、第１実施形態の画像形成装置１０（図３参照）に対して、除去部９０を構成する第１除去部９２及び第２除去部９４に換えて、２次転写ユニット３６Ｂを構成する除去部９０Ｂに回転ブラシ１００と、ブレード１０２とが備えられている。ここで、回転ブラシ１００は、回転体の一例である。回転ブラシ１００は、導電性ベルトＣＢに食い込んだ状態で軸周りに回転し、導電性ベルトＣＢに接触するようになっている。また、ブレード１０２は、回転ブラシ１００よりも導電性ベルトＣＢの周回方向下流側であってニップＮ２よりも上流側で導電性ベルトＣＢに接触し、導電性ベルトＣＢに付着したトナーＴを除去するようになっている。また、本実施形態の画像形成装置１０Ｂの場合、制御部６０は、図１４のフローチャートにしたがって、画像形成動作を行わせる。図１４のフローチャートは、第１実施形態のフローチャート（図８参照）との関係において、ステップＳ２３０、ステップＳ２４０及びステップＳ２６０が異なる。具体的には、制御部６０は、本実施形態のステップＳ２３０及びステップＳ２６０において、回転ブラシ１００を回転させない（電圧の印加も行わない）ようになっている。また、制御部６０は、ステップＳ２４０において、回転ブラシ１００を回転させる際、電圧の印加を行わないようになっている。本実施形態の画像形成装置１０Ｂは、第１実施形態の画像形成装置１０との関係において、上記の点以外は同様の構成とされている。
【０１００】
＜作用＞
本実施形態の作用は、第１実施形態の作用（第１、第２及び第４の作用）と同様である。
【０１０１】
≪第４実施形態≫
次に、第４実施形態について説明する。以下の説明において、本実施形態において、第１及び第３実施形態で用いた部品等と同じ部品等を用いる場合、その部品等の符号をそのまま用いる。
【０１０２】
＜構成＞
本実施形態の画像形成装置１０Ｃは、図１４に示されるとおり、第１実施形態の画像形成装置１０（図３参照）に対して、除去部９０を構成する第１除去部９２及び第２除去部９４に換えて、２次転写ユニット３６Ｃを構成する除去部９０Ｃにブレード１０２と、オーガ１０４とが備えられている。ここで、オーガ１０４は、回転体の一例である。オーガ１０４は、導電性ベルトＣＢから離間して、導電性ベルトＣＢの下側に配置されている。オーガ１０４は、自軸周りに回転して、ハウジング９６内に溜まったトナーＴを軸方向（装置奥行き方向）に搬送して、ハウジング９６の壁面に形成された穴（図示省略）から排出させるようになっている。なお、排出されたトナーＴは、廃トナータンク（図示省略）に収容されるようになっている。また、本実施形態の画像形成装置１０Ｃの場合、制御部６０は、図１６のフローチャートにより画像形成動作を行わせる。図１６のフローチャートは、第１実施形態のフローチャート（図８参照）との関係において、ステップＳ２３０、ステップＳ２４０及びステップＳ２６０が異なる。具体的には、制御部６０は、ステップＳ２３０及びステップＳ２６０において、オーガ１０４を回転させない（電圧の印加も行わない）ようになっている。また、制御部６０は、ステップＳ２４０において、オーガ１０４を回転させる際、電圧の印加を行わないようになっている。本実施形態の画像形成装置１０Ｃは、第１実施形態の画像形成装置１０との関係において、上記の点以外は同様の構成とされている。
【０１０３】
＜作用＞
本実施形態の作用は、第１実施形態の作用（第１、第２及び第４の作用）と同様である。
【０１０４】
以上のとおり、本発明を特定の実施形態について詳細に説明したが、本発明は前述した実施形態に限定されるものではなく、本発明の技術的思想の範囲内にて他の実施形態が可能である。
【０１０５】
例えば、第１実施形態の画像形成装置１０は、制御部６０が判断ステップＳ２００、判断ステップＳ２１０等を判断し、その判断に応じた画像形成動作（モード）を実行するとして説明した。しかしながら、上記各判断に応じたモードは一例であり、第１実施形態の画像形成装置１０は他のモードを有していてもよい。他の実施形態の画像形成装置１０Ａ、１０Ｂ、１０Ｃの場合も同様である。
【０１０６】
また、第１実施形態の画像形成装置１０では、トナーＭＴは金色であるとして説明した。しかしながら、トナーＭＴが扁平な金属顔料を含む扁平状トナーであれば、トナーＭＴは金色でなくてもよい。例えば、銀色等であってもよい。他の実施形態の画像形成装置１０Ａ、１０Ｂ、１０Ｃの場合も同様である。
【０１０７】
また、第１実施形態の画像形成装置１０では、図１に示されるように、トナーＭＴを形成する単色ユニット２１Ｇはトナー像形成部２０のうち転写ベルトＴＢの移動方向最上流にあるとされている。しかしながら、トナー像形成部２０に単位ユニット２１Ｇが含まれていれば、単位ユニット２１Ｇの配置順はどこでもよい。
【０１０８】
また、第１実施形態の画像形成装置１０では、ＢＵＲ８０に２次転写電圧が印加され、２次転写部７０を構成する導電性ロール７２が接地されているとして説明した。しかしながら、導電性ロール７２に２次転写電圧が印加され、ＢＵＲ８０が接地されるようにしてもよい。
【０１０９】
また、第１実施形態の画像形成装置１０では、転写部の一例が導電性ベルトＣＢであるとして説明した。しかしながら、２次転写部７０のように、導電性ベルトＣＢ及びテンションロール７４を設けずに、例えば、導電性ロール７２により転写ベルトＴＢとでニップＮ２を形成するようにしてもよい。この場合、導電性ロール７２は、転写部の一例とされる。他の実施形態の画像形成装置１０Ａ、１０Ｂ、１０Ｃの場合も同様である。
【０１１０】
また、第１実施形態の画像形成装置１０では、２次転写ユニット３６を構成する除去部９０に第１除去部９２及び第２除去部９４が備えられているとして説明した。しかしながら、除去部９０に軸周りに回転する回転体が備えられていれば、第１除去部９２及び第２除去部９４の何れか一方がなくてもよい。第２実施形態の画像形成装置１０Ａの場合も同様である。
【０１１１】
また、第１実施形態の画像形成装置１０では、第１除去部９２及び第２除去部９４において、金属製シャフト９２Ｂ、９４Ｂに電圧を印加するとして説明した。しかしながら、導電性ブラシ９２Ａ、９４Ａに直接電圧を印加するように構成してもよい。この場合、金属製シャフト９２Ｂ、９４Ｂに換えて、第１除去部９２及び第２除去部９４に導電性ブラシ９２Ａ、９４Ａに接触する板を設けて、導電性ブラシ９２Ａ、９４Ａが保持したトナーＴを導電性ブラシ９２Ａ、９４Ａから取り除いてもよい。この場合、当該板は、取除き部の一例である。
【０１１２】
また、第１実施形態の画像形成装置１０では、定められた条件は、図９のグラフのとおり、媒体Ｐの幅に対するトナーＭＴの形成幅の比が２／３以上（１以下）であって、トナーＭＴの画像密度が９５％以上（１００％以下）の場合であるとして説明した。しかしながら、定められた条件は、前述のとおり、扁平な金属顔料ＭＰの配向斑が視認され易い画像が形成されるかを官能評価により定めた条件であることから、別の条件としてもよい。例えば、定められた条件を、媒体Ｐの幅に対するトナーＭＴの形成幅の比が１／２以上（１以下）であって、トナーＭＴの画像密度が９５％以上（１００％以下）の場合としてもよい。
【０１１３】
また、本実施形態の説明では、実施形態を第１〜第４実施形態に分けて説明した。しかしながら、各実施形態の構成を組み合せた形態も、本発明の技術的範囲に含まれることはいうまでもない。
【符号の説明】
【０１１４】
１０        画像形成装置
１０Ａ      画像形成装置
１０Ｂ      画像形成装置
１０Ｃ      画像形成装置
２１Ｇ      単位ユニット（第１形成部の一例）
２１Ｙ      単位ユニット（第２形成部の一例）
２１Ｍ      単位ユニット（第２形成部の一例）
２１Ｃ      単位ユニット（第２形成部の一例）
２１Ｋ      単位ユニット（第２形成部の一例）
９２Ａ      導電性ブラシ（回転体の一例）
９２Ｂ      金属製シャフト（取除き部の一例）
９４Ａ      導電性ブラシ（回転体の一例）
９４Ｂ      金属製シャフト（取除き部の一例）
１００      回転ブラシ（回転体の一例）
１０４      オーガ（回転体の一例）
ＣＢ        導電性ベルト（転写部の一例）
Ｇ１        トナー像（第１像、第２像の一例）
Ｇ２        非転写像
Ｇ２        トナー像
ＭＰ        金属顔料
ＭＴ        扁平状トナー
ＭＴ        金属顔料
Ｎ２        ニップ
ＮＴ        非扁平状トナー
Ｐ          媒体
ＴＢ        転写ベルト（移動体の一例）
【図１】
0006417986.tif 000002
【図２】
0006417986.tif 000003
【図３】
0006417986.tif 000004
【図４】
0006417986.tif 000005
【図５】
0006417986.tif 000006
【図６】
0006417986.tif 000007
【図７】
0006417986.tif 000008
【図８】
0006417986.tif 000009
【図９】
0006417986.tif 000010
【図１０】
0006417986.tif 000011
【図１１】
0006417986.tif 000012
【図１２】
0006417986.tif 000013
【図１３】
0006417986.tif 000014
【図１４】
0006417986.tif 000015
【図１５】
0006417986.tif 000016
【図１６】
0006417986.tif 000017
【図１７】
0006417986.tif 000018